(57)【特許請求の範囲】
【請求項１】
ポンプの作動による送水の有無を検知する無送水接点装置を有するスイング式のチェッキ弁において、
前記無送水接点装置がケース内に納められる、弁箱外まで延在させた弁棒に固定されたカム、該カムの動きから弁体の開きを検出するスイッチ、該スイッチが取り付けられる取り付け部材を備え、
前記スイッチにはほぼ矩形に形成された取り付け面の対角線位置に取り付けビスが設けられ、
前記取り付け部材には基板部と、該基板部に固定され基板部の辺に対して傾斜した傾斜辺が形成された固定板とを有し、
該固定板には前記傾斜辺と対向する対向辺に前記カムに向かう方向に延びる平行な前記取り付けビスが移動可能なビス溝が形成され、
前記傾斜辺から前記対向辺に形成されたビス溝の開口における角までの最短長さをＬ１、対角線のビス間の長さをＬ２とするとき、Ｌ１＜Ｌ２に設定されていることを特徴とするチェッキ弁。
【請求項２】
請求項１に記載のチェッキ弁において、前記ケースが前記取り付け部材とこれを覆うカバーとで６面体に形成され、前記取り付け部材は取り付け板と該取り付け板の一端縁を立ち上げた立ち上げ板の２面を有し、前記カバーは上面と上面から両側に続く両側面と前記立ち上げ板に対向する側面の４面を有し、該カバーの上面から両側面は前記立ち上げ板に沿うように形成され、そしてカバーの両側面に下縁に取り付け板の側縁に係止される曲げが形成されていることを特徴とするチェッキ弁。
【発明の詳細な説明】
【技術分野】
【０００１】
本発明は、ポンプの作動による送水の有無を検知する無送水接点装置を有するスイング式のチェッキ弁に関する。
【背景技術】
【０００２】
上記形式のチェッキ弁は弁体の開閉状態を視認することができない。送水ポンプが作動しても送水されない場合、ポンプが空運転していることになり、これを知らずに放置するとポンプが焼き付いてしまう。そこで、ポンプが作動して送水されると開くチェッキ弁に弁体の開きを検知するスイッチを備えた無送水接点装置を設けてポンプの空運転を検出することがすでに知られている。
【０００３】
この種の無送水接点装置では、弁箱外に延在させた弁棒にカムを固定し、弁体の開くと回転するカムによってスイッチがオンすることにより弁体の開きを検知している。このとき、弁体の開き角度が所定角度になると、そのとき回転したカムによってスイッチがオンするように、無送水接点装置が弁に組み付けられる。このとき、弁体がある角度（例えば１５度）まで開くと、スイッチが確実に作動することが要求され、組み付けられた弁は作動する開度で、スイッチがオン・オフするように１つ１つを個別に調整して確認する必要がある。
【０００４】
【特許文献１】実公昭４６‐３３５１６号公報
【特許文献２】実公昭５３‐４２８０７号公報
【０００５】
従来のチェッキ弁では特許文献１，２に記載されているように、逆流防止と共に水撃作用を防止するため、チェッキ弁を急速に閉止させるべく、弁棒を外方へ延長し弁箱の外部にて弁棒の延長部にスプリング台やケースを設けてスプリングを取り付けている。そして、上記スイッチは屋外で使用されるときの保護手段としてカバー付きケース内に納められているが、このケース自体の縦、横、高さのすべてにおいてその大きさを小さくすることが要求されている。
【０００６】
しかしながら、ケースの高さを小型化する要求に伴い、弁箱までの間隔が狭くすると、スイッチを固定するナットの締め付けが手間のかかる作業となっていた。ましてや、このときスイッチの位置を調整しつつ取り付けることは困難な作業となるという問題があった。
【発明の開示】
【発明が解決しようとする課題】
【０００７】
本発明は、上記した従来の事情に鑑み、スイッチの取り付けとその位置調整が容易なチェッキ弁を提供することを目的としている。
【課題を解決するための手段】
【０００８】
上記の目的を達成するため、本発明は、ポンプの作動による送水の有無を検知する無送水接点装置を有するスイング式のチェッキ弁において、前記無送水接点装置がケース内に納められる、弁箱外まで延在させた弁棒に固定されたカム、該カムの動きから弁体の開きを検出するスイッチ、該スイッチが取り付けられる取り付け部材を備え、前記スイッチにはほぼ矩形に形成された取り付け面の対角線位置に取り付けビスが設けられ、前記取り付け部材には基板部と、該基板部に固定され基板部の辺に対して傾斜した傾斜辺が形成された固定板とを有し、該固定板には前記傾斜辺と対向する対向辺に前記カムに向かう方向に延びる平行な前記取り付けビスが移動可能なビス溝が形成され、前記傾斜辺から前記対向辺に形成されたビス溝の開口における角までの最短長さをＬ１、対角線のビス間の長さをＬ２とするとき、Ｌ１＜Ｌ２に設定されていることを特徴とするチェッキ弁を提案する。
【０００９】
なお、本発明は、前記ケースが前記取り付け部材とこれを覆うカバーとで６面体に形成され、前記取り付け部材は取り付け板と該取り付け板の一端縁を立ち上げた立ち上げ板の２面を有し、前記カバーは上面と上面から両側に続く両側面と前記立ち上げ板に対向する側面の４面を有し、該カバーの上面から両側面は前記立ち上げ板に沿うように形成され、そしてカバーの両側面に下縁に取り付け板の側縁に係止される曲げが形成されていると、効果的である。
【発明の効果】
【００１０】
本発明の構成によれば、取り付け部の作業空間が狭くともスイッチの位置調整が容易に行うことができ、しかも調整後の固定も容易に行うことができる。
【発明を実施するための最良の形態】
【００１１】
以下、本発明の実施の形態を添付図面に従って説明する。
図１は、本発明に係るチェッキ弁の断面説明図である。
図１において、符号１はチェッキ弁、２はその弁箱、３は弁体である。弁体３には、図１ないし図３に示すように、弁体３に形成された弁体アーム（図示せず）が弁棒５に固定されている。弁棒５は、軸受ブッシュ６により弁箱２に回動可能に、しかも軸方向に移動可能に装着されている。この弁棒５には、弁箱２を貫通してその外方へ突出されるため、Ｏリング等を備えたグランド機構を設けて、圧力水の漏れを防ぐように構成している。
【００１２】
弁棒５の弁箱２の外に現出した部分、すなわちグランド機構の外側にはスプリングレバー腕１０が止めネジ１１，１２によって固定されており、このスプリングレバー腕１０の両端近くにはピン１３,１４が取り付けられている。また、弁箱２には図３に示すようにほぼ菱形に形成されたスプリング台１５が設けられ、スプリング台１５は図示していないボルトによって弁箱２に固定されている。このスプリング台１５には弾性付勢手段としてのスプリング１６、１７がスプリング台１５の両端近くにそれぞれ設けられたピン１８，１９と、上記したスプリングレバー腕１０のピン１３,１４との係止されて取り付けられている。すなわち、スプリング１６は、スプリング台１５のピン１８と、スプリングレバー腕１０のピン１３との掛け渡され、スプリング１７はスプリング台１５のピン１９とスプリングレバー腕１０のピン１４と掛け渡されて取り付けられている。なお、スプリング１６，１７は各ピン１３，１４，１８，１９と軸受を介して係止されている。
【００１３】
２個のスプリング１６，１７は、引っ張りバネであり、両者は協動してスプリングレバー腕１０を図３の時計方向に回動させるように作用している。従って、弁棒５に時計方向の回転モーメントを与えることで、このスプリング力は弁棒５および弁体アームを経て弁体３に伝達され、弁体３をその弁座４に着座させるべく作用している。
【００１４】
かかる構成のチェッキ弁において、弁体が所定角度の開くとカムを介してスイッチが切り替わることで弁体の開きを検出する無送水接点装置が知られているが、この装置ではこのスイッチ位置調整が難しいという問題があることは先に説明した。
【００１５】
そこで、本実施形態の無送水接点装置は、図４に示すように、ヒンジレバー２２が押されて切り替わる、本例ではオンするマイクロスイッチとしてのスイッチ２１を用いており、このスイッチ２１の取り付け面がほぼ矩形に形成され、その取り付け面２２の対角線の位置に取り付けビス２３，２４が植設されている。このスイッチ２１が図５に示すように、スプリング台１５に設けた取り付けケース２５に取り付けられる。
【００１６】
また、上記弁棒５は図２に示すように、スイッチ２１が取り付けられた取り付けケース２５まで達しており、このスイッチ２１の取り付け位置に対応する位置における弁棒５には図５に示すように、回転によってスイッチ２１をオンするカム２０がネジ等によって固定されている。
【００１７】
取り付けケース２５は、図２及び図７に示すように、スイッチ２１が取り付けられる取り付け部材としての基板部２６と、スイッチ２１を覆って保護するカバー部３０とで６面体に形成されている。基板部２６にはスイッチ２１が固定される固定板２７と、一側を立ち上げた立ち上げ板２８とを有している。他方、カバー部３０は上面３１と上面３１から両側に続く両側面３２、３３と立ち上げ板２８に対向する側面３４の４面を有している。
【００１８】
固定板２７には、基板部２６の辺に対して傾斜して形成された傾斜辺２７ａが設けられ、この傾斜辺２７ａと対向する対向辺２７ｂにカム２０に向かう方向に延びる平行な取り付けビス２３、２４が移動可能なビス溝２９ａ，２９ｂが形成されている。
【００１９】
取り付けケース２５にスイッチ２１の取り付けるには、スイッチ２１の取り付けビス２３、２４にナット(図示せず)を軽く螺号させた状態で、固定板２７のビス溝２９ａ，２９ｂに仮係合させる。このとき、ビス溝２９ａは固定板２７の傾斜辺２７ａ、ビス溝２９ｂは対向辺２７ｂにそれぞれ形成されているが、傾斜辺２７ａから対向辺２７ｂのビス溝２９ｂの開口角２９ｂ’までの最短長さをＬ１、スイッチ２１における対角線のビス２３、２４間の長さをＬ２とするとき、Ｌ１＜Ｌ２となるように設定している。すなわち、傾斜辺２７ａから対向辺２７ｂのビス溝２９ｂの開口角２９ｂ’までの最短長さＬ１がスイッチ２１における対角線のビス２３、２４間の長さＬ２より短く設定している。かかる設定によって、スイッチ２１のビス２３，２４にナット（図示せず）を螺合させた状態であっても、該ビス２３、２４が固定板２７を跨ぎ、ビス２３がビス溝２９ａ、ビス２４がビス溝２９ｂにそれぞれ緩く係合させることができる。これは上記長さＬ１がスイッチ２１における対角線のビス２３、２４間の長さＬ２より短いと、ビス２３，２４にナットを螺合させた状態でも図５の矢印Ａ方向からスイッチ２１を移動操作することで、固定板２７に緩く係合させることができる。
【００２０】
固定板２７に仮係合されたスイッチ２１は、カム２０に対して接離方向の移動できるので、カム２０によってスイッチ２１が作動する位置調整が容易に行われ、その位置が決まればビス２３、２４のナットを締め付ければ固定される。
【００２１】
このように、本実施形態の無送水接点装置は前もってナットを螺合させたビス２３，２４を固定板２７のビス溝２９ａ，２９ｂに係合させることができ、よって位置調整を終えたスイッチ２１は既に螺合されているワッシャを介したナットを締め付けるだけの作業空間があればよく、取り付けケース２５を小型化することができる。
【００２２】
スイッチ２１の調整を終えて固定された無送水接点装置は上記カバー部３０を取り付けてスイッチ２１を保護するようにしている。このカバー部３０の取り付けを容易にするため、図７に示すように、カバー部３０の両側面３２、３３に基板部２６の側縁に係止される曲げ３２ａ，３３ａが形成されている。そして、カバー部３０を基板部２６に取り付けるとき、カバー部３０の曲げ３２ａ，３３ａが基板部２６の側縁に係止させた状態でスライドでき、カバー部３０の上面３１から両側面３２、３３の部分が立ち上げ板２８の上縁に嵌合されることでカバー部３０が仮固定される。その後、ビス等でカバー部を基板部２６に固定すれば取り付けケース２５の組み付けが完了する。
なお、図7において示す曲げ３２ａ，３３ａは分かり易くするため誇張して表示しており、曲げ３２ａ，３３ａは小さいアール状のものでよい。また、基板部２６の曲げ３２ａ，３３ａに対向するエッジは曲げ３２ａ，３３ａの形状に沿うような加工が施されている。この加工によって、基板部２６にカバー部３０を取り付けたとき、図における基板部２６の下面とカバー部３０の下端が同一面にすることができる。
【図面の簡単な説明】
【００２３】
【図１】本発明に係るチェッキ弁の縦断面図である。
【図２】本発明に係るチェッキ弁の横断面図である。
【図３】本発明のチェッキ弁のスプリングユニット部を示す正面図である。
【図４】本発明のチェッキ弁の無送水接点装置に用いるスイッチの説明図である。
【図５】無送水接点装置の正面説明図である。
【図６】取り付けケースの説明図である。
【図７】取り付けケースの分解斜視図である。
【符号の説明】
【００２４】
１  チェッキ弁
２  弁箱
３  弁体
４  弁座
５  弁棒
２０  カム
２１  スイッチ
２３，２４  取り付けビス
２５  取り付けケース
２６  基板部
２７  固定板
２７ａ  傾斜辺
２７ｂ  対向辺
２８  立ち上げ板
２９ａ，２９ｂ  ビス溝
２９ｂ’   開口角
３０  カバー部
【図１】
0004639159.tif 000002
【図２】
0004639159.tif 000003
【図３】
0004639159.tif 000004
【図４】
0004639159.tif 000005
【図５】
0004639159.tif 000006
【図６】
0004639159.tif 000007
【図７】
0004639159.tif 000008